(57)【要約】      （修正有）【課題】室内において要介護者の排便、排尿に伴って発生してくるＶＯＣの除去、悪臭の消臭等を効果的に行い、要介護者の生活環境の改善、介護者等の環境条件の清浄化等を現出できる菌・ウィルス除去装置付便器を提供する。【解決手段】イオンクラスターを発生する菌・ウィルス除去装置３と、菌・ウィルス除去装置３に配管材５により接続されて供給されてくるイオンクラスターを貯留するとともに、貯留タンク本体１２に設けた室内用放出口１３、外部接続口１４からイオンクラスターを送出する送風ファン１６を備えた貯留タンク１１と、要介護者が使用する便器２１と、外部接続口１４と便器２１内の特定箇所に設けた便器内放出口とを接続する配管材２３と、を要介護者が存在する室内に配置し、室内用放出口１３から室内に向けて、及び、便器内放出口から便器２１を使用する要介護者の特定箇所に向けてイオンクラスターを放出する構成とした。【選択図】図２
2015229865.tif 000002
【特許請求の範囲】
【請求項１】
イオンクラスターを発生する菌・ウィルス除去装置と、
前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、
使用者が使用に供する便器と、
前記外部接続口と前記便器内の特定箇所に設けた便器内放出口とを接続する配管材と、
を室内に配置し、
前記室内用放出口から室内に向けて、及び、前記便器内放出口から前記便器の使用者の特定箇所に向けてイオンクラスターを放出するように構成したことを特徴とする菌・ウィルス除去装置付便器。
【請求項２】
イオンクラスターを発生する菌・ウィルス除去装置と、
前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、
要介護者が使用に供する便器と、
前記外部接続口と前記便器内の特定箇所に設けた便器内放出口とを接続する配管材と、
を要介護者が存在する室内に配置し、
前記室内用放出口から室内に向けて、及び、前記便器内放出口から前記便器を使用する要介護者の特定箇所に向けてイオンクラスターを放出するように構成したことを特徴とする菌・ウィルス除去装置付便器。
【請求項３】
イオンクラスターを発生する菌・ウィルス除去装置と、
前記菌・ウィルス除去装置にホース、パイプ又はダクト等からなる配管材により接続されて供給されてくるイオンクラスターを貯留するとともに、貯留タンク本体に設けた室内用放出口、外部接続口からイオンクラスターを送出する送風ファンを備えた貯留タンクと、
要介護者が使用に供する便器と、
前記外部接続口と前記便器内の衛生洗浄装置の洗浄水噴出部近傍等の特定箇所に設けた便器内放出口とを接続するホース、パイプ又はダクト等からなる配管材と、
を要介護者が存在する室内に配置し、
前記室内用放出口から室内に向けて、及び、前記便器内放出口から前記便器を使用する要介護者の排泄箇所に向けてイオンクラスターを放出するように構成したことを特徴とする菌・ウィルス除去装置付便器。
【請求項４】
イオンクラスターを発生する菌・ウィルス除去装置と、
前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、
使用者が使用に供する寝具類と、
前記外部接続口と前記寝具類に設けたイオンクラスター放出用流路領域とを接続する配管材と、
を室内に配置し、
前記室内用放出口から室内に向けて、及び、前記イオンクラスター放出用流路領域から前記寝具類上に臥床する使用者の身体に向けてイオンクラスターを放出するように構成したことを特徴とする菌・ウィルス除去装置付寝具類。
【請求項５】
イオンクラスターを発生する菌・ウィルス除去装置と、
前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、
要介護者が使用に供する寝具類と、
前記外部接続口と前記寝具類に設けたイオンクラスター放出用流路領域とを接続する配管材と、
を要介護者が存在する室内に配置し、
前記室内用放出口から室内に向けて、及び、前記イオンクラスター放出用流路領域から前記寝具類上に臥床する要介護者の身体に向けてイオンクラスターを放出するように構成したことを特徴とする菌・ウィルス除去装置付寝具類。
【請求項６】
イオンクラスターを発生する菌・ウィルス除去装置と、
前記菌・ウィルス除去装置にホース、パイプ又はダクト等からなる配管材により接続されて供給されてくるイオンクラスターを貯留するとともに、貯留タンク本体に設けた室内用放出口、外部接続口からイオンクラスターを送出する送風ファンを備えた貯留タンクと、
要介護者が使用に供するベッド本体及びマットからなる寝具類と、
前記外部接続口と前記寝具類におけるベッド本体からマットにわたって設けたイオンクラスター放出用流路領域とを接続するホース、パイプ又はダクト等からなる配管材と、
を要介護者が存在する室内に配置し、
前記室内用放出口から室内に向けて、及び、前記イオンクラスター放出用流路領域から前記寝具類上に臥床する要介護者の身体に向けてイオンクラスターを放出するように構成したことを特徴とする菌・ウィルス除去装置付寝具類。
【発明の詳細な説明】
【技術分野】
【０００１】
本発明は、室内において要介護者の排便、排尿に伴って発生してくるＶＯＣの除去、悪臭の消臭等を効果的に行い、要介護者の生活環境の改善、介護者等の環境条件の清浄化等を現出できる菌・ウィルス除去装置付便器、及び、室内において要介護者の寝具類の使用に伴って発生してくるＶＯＣの除去、悪臭の消臭等を効果的に行い、要介護者は勿論のこと介護者等にも悪影響を及ぼすことを防止し、要介護者の生活環境の改善を実現できる菌・ウィルス除去装置付寝具類（介護用の各種ベッド又は一般の敷き布団等）に関するものであり、要介護者の生活環境の改善を実現するとともに、介護者等にとっても安心して介護に携われるような環境条件を提供でき、結果として医療費の減少に寄与し得る菌・ウィルス除去装置付便器及び菌・ウィルス除去装置付寝具類に関するものである。
【背景技術】
【０００２】
従来、要介護者の排便、排尿に際しては、通常の便器に替えて、各種の要介護者用の便器や、貸し出し型の簡易便器が多く使用に供されている。
【０００３】
このような簡易便器は、要介護者の寝ている部屋の中のベッド、布団等の近くに配置して使用に供するようにしている。
【０００４】
この場合、ＶＯＣ（揮発性有機化合物）の増加、悪臭の充満等により要介護者の生活環境は非衛生となって健康悪化を増進させてしまう。
【０００５】
また、ＶＯＣの増加、悪臭の充満等のため、一般人（介護者、家族等）の健康維持に関しても、悪影響が生じ、介護者等が悪性のウィルスに感染してしまう危険性が生じたり、更には、介護者等が何等かの病気にかかっているような場合、その病状が更に進行してしまうという重大な事態を招いていた。
【０００６】
しかしながら、従来要介護者用の便器や、貸し出し型の簡易便器の場合、ＶＯＣの除去対策、悪臭の消臭対策が講じられていないものが多いのが実情である。
【０００７】
特許文献１には、移動可能な可動ベースと、該可動ペースに設置された便鉢と、該便鉢の下側に配置されたバケットと、該便鉢の上側に配置された便座と、該便鉢に鉢洗浄水を供給する手段とを有するポータブルトイレにおいて、該鉢洗浄水供給手段は、該便鉢の後部に配置され、便鉢内面に向って水をスプレーするスプレーノズルを備えて構成したポータブルトイレが提案されている。
【０００８】
しかし、この特許文献１のポータブルトイレを含め、トイレ自体に加え、要介護者の寝ている部屋の室内のＶＯＣや悪臭に対する対策を講じ室内環境の清浄化を実現するような技術は存在しないのが実情である。
【先行技術文献】
【特許文献】
【０００９】
【特許文献１】特開２００２−４５３０７号公報
【発明の概要】
【発明が解決しようとする課題】
【００１０】
本発明は、室内において要介護者の排便、排尿に伴って発生してくるＶＯＣの除去、悪臭の消臭等を効果的に行い、要介護者の生活環境の改善、介護者等の環境条件の清浄化等を現出できる菌・ウィルス除去装置付便器（介護用の各種簡易便器又は一般の便器）、及び、室内において要介護者の寝具類（介護用の各種ベッド又は一般の敷き布団等）の使用に伴って発生してくるＶＯＣの除去、悪臭の消臭等を効果的に行い、要介護者は勿論のこと介護者等にも悪影響を及ぼすことを防止し、要介護者の生活環境の改善を実現できる菌・ウィルス除去装置付寝具類に関するものであり、要介護者の生活環境の改善を実現するとともに、介護者等にとっても安心して介護に携われるような環境条件を提供でき、結果として医療費の減少にも寄与し得る菌・ウィルス除去装置付便器及び菌・ウィルス除去装置付寝具類を提供するものである。
【課題を解決するための手段】
【００１１】
本発明に係る菌・ウィルス除去装置付便器及び菌・ウィルス除去装置付寝具類の内の菌・ウィルス除去装置付便器（介護用の各種簡易便器又は一般の便器）は、イオンクラスターを発生する菌・ウィルス除去装置と、前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、使用者が使用に供する便器と、前記外部接続口と前記便器内の特定箇所に設けた便器内放出口とを接続する配管材と、を室内に配置し、前記室内用放出口から室内に向けて、及び、前記便器内放出口から前記便器の使用者の特定箇所に向けてイオンクラスターを放出するように構成したことを最も主要な特徴とする。
【発明の効果】
【００１２】
請求項１記載の発明によれば、部屋の室内において、貯留タンクの室内用放出口から室内に向けて、及び、貯留タンクに接続した便器（介護用の各種簡易便器又は一般の便器）内放出口から前記便器の使用者の特定箇所に向けてイオンクラスターを放出するように構成したので、室内において便器を使用する使用者の排便、排尿に伴って発生してくるＶＯＣの除去、悪臭の消臭等を効果的に行い、便器を設置している部屋の室内の清浄化、生活環境の改善を実現することができる菌・ウィルス除去装置付便器を実現し提供することができる。
【００１３】
請求項２、３記載の発明によれば、要介護者が居住する部屋の室内において、貯留タンクの室内用放出口から室内に向けて、及び、貯留タンクに接続した便器（介護用の各種簡易便器又は一般の便器）内放出口から便器を使用する要介護者の特定箇所に向けてイオンクラスターを放出するように構成したので、室内において要介護者の排便、排尿に伴って発生してくるＶＯＣの除去、悪臭の消臭等を効果的に行い、要介護者は勿論のこと介護者等にも悪影響を及ぼすことを防止し、要介護者の生活環境の改善を実現するとともに、介護者等にとっても安心して介護に携われるような環境条件を提供でき、結果として医療費の減少にも寄与し得る菌・ウィルス除去装置付便器を実現し提供することができる。
【００１４】
請求項４記載の発明によれば、部屋の室内において、貯留タンクの室内用放出口から室内に向けて、及び、貯留タンクに接続した寝具類のイオンクラスター放出用流路領域から使用者の身体に向けてイオンクラスターを放出するように構成したので、ベッド等の寝具類を設置している部屋の室内の清浄化、生活環境の改善を実現することができる菌・ウィルス除去装置付便器（介護用の各種簡易便器又は一般の便器）を実現し提供することができる。
【００１５】
請求項５、６記載の発明によれば、要介護者が居住する部屋の室内において、貯留タンクの室内用放出口から室内に向けて、及び、要介護者が使用している寝具類（介護用の各種ベッド又は一般の敷き布団等）に設けたイオンクラスター放出用流路領域から前記寝具類上に臥床する使用者の身体に向けてイオンクラスターを放出するように構成したので、室内において要介護者の寝具類の使用に伴って発生してくるＶＯＣの除去、悪臭の消臭等を効果的に行い、要介護者は勿論のこと介護者等にも悪影響を及ぼすことを防止し、要介護者の生活環境の改善を実現するとともに、介護者等にとっても安心して介護に携われるような環境条件を提供でき、結果として医療費の減少にも寄与し得る菌・ウィルス除去装置付寝具類を実現し提供することができる。
【図面の簡単な説明】
【００１６】
【図１】図１は本発明の実施例１に係る菌・ウィルス除去装置付便器を配置した要介護者用の部屋の概略平面図である。
【図２】図２は本実施例１に係る菌・ウィルス除去装置付便器の全体構成を示す概略図である。
【図３】図３は本実施例１に係る菌・ウィルス除去装置付便器における便器の使用状態を示す概略断面図である。
【図４】図４は本発明の実施例２に係る菌・ウィルス除去装置付寝具類を配置した要介護者用の部屋の概略平面図である。
【図５】図５は本実施例２に係る菌・ウィルス除去装置付寝具類の全体構成を示す概略図である。
【図６】図６は本実施例２に係る菌・ウィルス除去装置付寝具類における寝具類の使用状態を示す概略断面図である。
【発明を実施するための形態】
【００１７】
本発明に係る菌・ウィルス除去装置付便器及び菌・ウィルス除去装置付寝具類の内の菌・ウィルス除去装置付便器（介護用の各種簡易便器又は一般の便器）は、特に室内において要介護者の排便、排尿に伴って発生してくるＶＯＣの除去、悪臭の消臭等を効果的に行い、要介護者の生活環境の改善と、介護者等の環境条件の悪化防止とを図ることができる菌・ウィルス除去装置付便器を提供するという目的を、イオンクラスターを発生する菌・ウィルス除去装置と、前記菌・ウィルス除去装置に配管材により接続されて供給されてくるイオンクラスターを貯留するとともに、貯留タンク本体に設けた室内用放出口、外部接続口からイオンクラスターを送出する送出手段を備えた貯留タンクと、要介護者が使用に供する便器と、前記外部接続口と前記便器内の特定箇所に設けた便器内放出口とを接続する配管材と、を要介護者が存在する室内に配置し、前記室内用放出口から室内に向けて、及び、前記便器内放出口から前記便器を使用する要介護者の特定箇所に向けてイオンクラスターを放出する構成により実現した。
【実施例】
【００１８】
以下、本発明の実施例に係る菌・ウィルス除去装置付便器及び菌・ウィルス除去装置付寝具類について図面を参照して詳細に説明する。なお、ここでいう便器とは、介護用の各種簡易便器又は一般の便器をいう。
【００１９】
（実施例１）
本発明の実施例１に係る菌・ウィルス除去装置付便器１について、図１乃至図３を参照して説明する。
【００２０】
本実施例１に係る菌・ウィルス除去装置付便器１は、図１乃至図３に示すように、要介護者Ｍ用の部屋２内に配置したイオンクラスターを発生する菌・ウィルス除去装置３と、前記菌・ウィルス除去装置３のイオンクラスター放出口４にホース、パイプ又はダクト等からなる配管材５により接続され、菌・ウィルス除去装置３が放出するイオンクラスターを貯留するとともに、貯留タンク本体１２に設けた室内用放出口１３、外部接続口１４からイオンクラスターを送出する送風ファン１５を備えた貯留タンク１１と、前記要介護者Ｍが使用に供する例えば簡易便器等からなる便器２１と、前記外部接続口１４と前記便器２１内に配置した詳細構造は省略するが公知の衛生洗浄装置の洗浄水噴出部２４の近傍等の位置に配置した便器内放出口２２とを接続するホース、パイプ又はダクト等からなる配管材２３と、を有している。
【００２１】
そして、前記室内用放出口１３から部屋２の室内に向けて、及び、前記便器内放出口２２から前記便器２１を使用する要介護者Ｍの例えば排泄箇所に向けてイオンクラスターを放出するように構成している。
【００２２】
前記送風ファン１５は、ＡＣ電源ケーブル１６、電源回路部１７を介して回転駆動されるようになっている。
【００２３】
ここで、前記菌・ウィルス除去装置３についてその概略構成と効能について説明する。
【００２４】
前記菌・ウィルス除去装置３は、直方体状でＡＣ電源に接続するＡＣ電源ケーブル６を備えた本体３Ａの上面部に、イオンクラスターを外部に向けて面状に放出するためのイオンクラスター放出口４を設け、また、図示しないが本体３Ａ内に配置した高圧電源回路から高圧電圧が印加されることでイオンクラスターを生成する放電管１本を内蔵した構成としている。
【００２５】
すなわち、前記菌・ウィルス除去装置３は、空気中にイオンクラスターを面状態で放出し、空間に長く存在し充満させるものである。
【００２６】
本実施例１の菌・ウィルス除去装置３におけるイオンクラスターの発生原理は以下の通りである。
【００２７】
前記菌・ウィルス除去装置３に内蔵した放電管に交流高電圧を印加し、プラズマ放電を発生させると、プラズマ放電により空気（酸素）分子にエネルギーが加えられ、空気（酸素）分子から電子を奪って酸素分子陽イオンが生成し、また、空気（酸素）分子に電子を与えて酸素分子陰イオンが生成する。
【００２８】
そして、酸素分子陽イオンが水蒸気と反応し、反応活性種（ヒドロペルオキシラジカル）が生成し、また、酸素分子陰イオンは、放電時に副生成物として発生するオゾンと反応し、反応活性種（ＯＨラジカル）が生成する。
【００２９】
前記酸素分子陽イオン、酸素分子陰イオン、ヒドロペルオキシラジカル、ＯＨラジカルは、強力な親和力を持つので、塊の状態で集まってイオンクラスクーを形成し、約１２０秒間活動し、悪臭分子、細菌、真菌等を分解・窒息させたあと、二酸化炭素や水分子に還元される。
【００３０】
本実施例の菌・ウィルス除去装置３が発生するイオンクラスターの効能は、以下の通りである。
【００３１】
（Ａ）除菌
ヒドロペルオキシラジカル、ＯＨラジカルは、＋電荷を帯びた空気中に浮遊する汚染物質（ウィルス、細菌、カビ等）と電気的力（クローンカ）により接触し、汚染物質の表面を取り囲んで細菌の餌である窒素を遮断して除菌する。
【００３２】
ウィルス等の微生物表面におけるタンパク質成分中の水素と反応するヒドロペルオキシラシカル、ＯＨラジカルが、水になって空気中に戻り、微生物は表面に割れ目ができ、除菌される。
【００３３】
このようなイオンクラスターによる除菌方式は、薬物による除菌と異なり、耐性を持たせることなく、一般細菌、真菌類（カビ類）、大腸菌、サルモネラ菌、インフルエンザウィルス、病原菌等の様々な菌に対して有効な除菌効果を発揮する。
【００３４】
（Ｂ）有害化学物質（ＶＯＣ）除去
イオンクラスターの酸化反応により、ホルムアルデヒド、ＮＯＸ、ＳＯＸ等の有害化学物質を無害物質に分解する。イオンの塊であるイオンクラスターは、約２００種余りの有害物質を分解することができる。
【００３５】
（Ｃ）脱臭
人間の鼻が感知できる悪臭成分の９９％は、分子量が２０〜２００程度の小さいものであり、そのほとんどが還元されやすい性質をもっており、すばやく還元される性質がある。
【００３６】
酸素のイオンクラスターは、分子量が１０００〜２００００程度と大きいため、悪臭成分を酸化反応により簡単に無臭分子に分解する。
【００３７】
（Ｄ）この他、本実施例に係る菌・ウィルス除去装置３は、花粉、ＰＭ２．５等の表面に付着したＶＯＣ等の分解除去対策としても有効に機能する。
【００３８】
すなわち、前記イオンクラスターは、ＶＯＣ等の粒子状物質に付着し、直接反応して強力な酸化作用により花粉やＰＭ２．５等のような浮遊物質（アレルギー物質）に付着した有害物質を分解除去するものである。
【００３９】
ちなみに、スギ花粉は、直径約３０μｍ、ＰＭ２．５は、直径２．５μｍ、ＶＯＣ物質は直径０．１ｎｍ程度の微粒子である。
【００４０】
次に、本実施例１に係る菌・ウィルス除去装置付便器１の作用、効果について説明する。
【００４１】
本実施例１に係る菌・ウィルス除去装置付便器１は、上述したように、要介護者Ｍ用の部屋２内において、前記菌・ウィルス除去装置３及び前記送風ファン１５を作動させることにより、菌・ウィルス除去装置３から貯留タンク１１内に上述したような効能を有するイオンクラスターが送られ、更に前記室内用放出口１３から部屋２の室内に向けてイオンクラスターが放出される。
【００４２】
また、貯留タンク１１から配管材２３、前記便器２１に設けた便器内放出口２２を経て前記便器２１を使用する要介護者Ｍの例えば排泄箇所に向けてイオンクラスターが放出される。
【００４３】
これにより、部屋２の室内における空気中のＶＯＣが除去され、ウィルスの除去、除菌、脱臭作用も発揮されて、室内の空気清浄化が図られる。
【００４４】
また、前記便器２１を使用して排泄する要介護者Ｍの排泄箇所に向けてイオンクラスターが放出されるので、便器２１内、要介護者Ｍの身体に関してもＶＯＣが除去され、汚水が清浄化され、更に、ウィルスの除去、除菌、脱臭作用も発揮されて、便器２１内や、要介護者Ｍの身体の清浄化も図られる。
【００４５】
この結果、要介護者（病人、高齢者、身体障害者）Ｍの部屋２内における生活環境が改善され、気持ちよく日常を過ごせる環境条件を現出することができる。
【００４６】
同時に、介護者等の介護環境条件の悪化防止を実現し安心して介護に携わることができる介護環境条件を現出することができる。
【００４７】
本実施例１に係る菌・ウィルス除去装置付便器１は、上述したような要介護者Ｍ用の便器用として適用する場合の他、一般人（健常者）が使用する便器、病院や公共施設等における便器に関しても衛生洗浄装置の有無を問わず広範に適用できる。
【００４８】
（実施例２）
本発明の実施例２に係る菌・ウィルス除去装置付寝具類３１について、図４乃至図６を参照して説明する。なお、ここでいう寝具類とは、介護用の各種ベッド又は一般の敷き布団等をいう。
【００４９】
図４乃至図６に示す本実施例２に係る菌・ウィルス除去装置付寝具類３１において、実施例１の場合と同一の要素については同一の符号を付して示す。
【００５０】
本実施例２に係る菌・ウィルス除去装置付寝具類３１は、図４乃至図６に示すように、要介護者Ｍ用の部屋２内に配置したイオンクラスターを発生する菌・ウィルス除去装置３と、前記菌・ウィルス除去装置３のイオンクラスター放出口４にホース、パイプ又はダクト等からなる配管材５により接続され、菌・ウィルス除去装置３が放出するイオンクラスターを貯留するとともに、貯留タンク本体１２に設けた室内用放出口１３、外部接続口１４からイオンクラスターを送出する送風ファン１５を備えた貯留タンク１１と、要介護者Ｍが使用に供するベッド本体３３及び臥床用のマット４１からなる寝具類３２と、前記貯留タンク１１の外部接続口１４と前記寝具類３２におけるベッド本体３３からマット４１にわたって設けたイオンクラスター放出用流路領域４０とを接続するホース、パイプ又はダクト等からなる配管材２３ａと、を有している。
【００５１】
前記ベッド本体３３は、図６に拡大して示すように、全体として略直方体状を呈するベッド枠体３４と、このベッド枠体３４の上面側に配置した前記マット４１載置用の複数個の横桟３５と、この横桟３５の下側において上面を開口しイオンクラスター放出用流路領域４０を形成する空間部３６を設けたイオンクラスター受箱体３７と、を具備し、イオンクラスター受箱体３７を前記ベッド枠体３４に一体的に固着した構成としている。
【００５２】
そして、前記配管材２３ａの放出端を前記イオンクラスター放出用流路領域４０の空間部３６に臨ませる状態で接続している。
【００５３】
前記マット４１は、図６に拡大して示すように、ベッド本体３３の各横桟３５上に載置する略直方体状のマット本体４２と、このマット本体４２をその厚さ方向に、かつ、所定の間隔をもって貫通する多数の貫通孔４３と、を具備している。
【００５４】
すなわち、前記マット本体４２は、防水・防湿性生地からなる外被材４４を用い、前記外被材４４によりその内部にベッド用の所要数のクッション材４５を収納して覆うように、かつ、多数の貫通孔４３を形成するように縫製することにより構成し、このマット本体４２上に要介護者Ｍが臥床するようにしたものである。
【００５５】
前記空間部３６及び各貫通孔４３により、イオンクラスター放出用流路領域４０を構成している。
【００５６】
次に、本実施例２に係る菌・ウィルス除去装置付寝具類３１の作用、効果について説明する。
【００５７】
本実施例２に係る菌・ウィルス除去装置付寝具類３１は、上述したように、要介護者Ｍ用の部屋２内において、前記菌・ウィルス除去装置３及び前記送風ファン１５を作動させることにより、菌・ウィルス除去装置３から貯留タンク１１内に上述したような効能を有するイオンクラスターが送られ、更に前記室内用放出口１３から部屋２の室内に向けてイオンクラスターが放出される。
【００５８】
また、貯留タンク１１から配管材２３ａ、前記イオンクラスター放出用流路領域４０の空間部３６、前記各貫通孔４３を経てマット本体４２上に臥床する要介護者Ｍの身体各部に向けてイオンクラスターが放出される。
【００５９】
これにより、実施例１の場合と同様、部屋２の室内の空気中のＶＯＣが除去され、ウィルスの除去、除菌、脱臭作用も発揮されて、室内の空気清浄化が図られる。
【００６０】
また、前記マット本体４２上に臥床する要介護者Ｍの身体各部に向けてイオンクラスターが放出されるので、実施例１の場合と同様、前記マット本体４２、要介護者Ｍの身体に関してもＶＯＣが除去され、更に、ウィルスの除去、除菌、脱臭作用も発揮されて、前記マット本体４２や、要介護者Ｍの身体の清浄化も図られる。
【００６１】
この結果、要介護者（病人、高齢者、身体障害者）Ｍの部屋２内における生活環境が改善され、気持ちよく日常を過ごせる環境条件を現出することができる。
【００６２】
同時に、介護者等の介護環境条件の悪化防止を実現し安心して介護に携わることができる介護環境条件を現出することができる。
【００６３】
本実施例２に係る菌・ウィルス除去装置付寝具類３１は、上述したような要介護者Ｍ用のベッド等適用する場合の他、一般人（健常者）が使用するベッド等の寝具類に関しても広範に適用できる。
【産業上の利用可能性】
【００６４】
本発明の構成は、上述した各実施例で述べた他、換気扇、吸気扇、マット、布団乾燥機、エアコン、ドライヤー、扇風機、冷蔵庫、更には、介護用品としての特殊寝台、褥瘡予防用具、体位変換器、自動排泄処理装置等の各種機器類、用具類にも広範に応用可能である。
【符号の説明】
【００６５】
１    菌・ウィルス除去装置付便器
２    部屋
３    菌・ウィルス除去装置
３Ａ  本体
４    イオンクラスター放出口
５    配管材
６    ＡＣ電源ケーブル
１１    貯留タンク
１２    貯留タンク本体
１３    室内用放出口
１４    外部接続口
１５    送風ファン
１６    ＡＣ電源ケーブル
１７    電源回路部
２１    便器
２２    便器内放出口
２３    配管材
２３ａ  配管材
２４    衛生洗浄装置の洗浄水噴出部
３１    菌・ウィルス除去装置付寝具類
３２    寝具類
３３    ベッド本体
３４    ベッド枠体
３５    横桟
３６    空間部
３７    イオンクラスター受箱体
４０    イオンクラスター放出用流路領域
４１    マット
４２    マット本体
４３    貫通孔
４４    外被材
４５    クッション材
【図１】
2015229865.tif 000003
【図２】
2015229865.tif 000004
【図３】
2015229865.tif 000005
【図４】
2015229865.tif 000006
【図５】
2015229865.tif 000007
【図６】
2015229865.tif 000008